(57)【要約】      （修正有）【課題】砂がトレー本体の外側に散らばり落ちることを防ぐペット用トイレトレーを提供する。【解決手段】ペット用トイレトレーは、トレー本体１及びトレーカバー２を備える。トレー本体１は、収納チャンバ１１が内側に形成され、収納チャンバ１１のチャンバ口が上端に形成され、収納チャンバ１１と連通する第１の開口部１２が一側に形成される。収納チャンバ１１内には、坂道１３が設けられる。坂道１３の第１の端部は、第１の開口部１２に接続され、坂道１３の第２の端部は、第１の開口部１２と反対方向に向かって延びる。トレーカバー２の内側には、チャンバカバーが形成される。トレーカバー２の底端には、チャンバカバーのチャンバ口が形成される。トレー本体１の収納チャンバ１１のチャンバ口は、トレーカバー２のチャンバカバーにより閉じられる。【選択図】図１
0003230613.tif 000002
【実用新案登録請求の範囲】
【請求項１】
トレー本体及びトレーカバーを備えた、ペット用トイレトレーであって、
前記トレー本体は、収納チャンバが内側に形成され、前記収納チャンバのチャンバ口が上端に形成され、前記収納チャンバと連通する第１の開口部が一側に形成され、
前記収納チャンバ内には、坂道が設けられ、前記坂道の第１の端部は、前記第１の開口部に接続され、前記坂道の第２の端部は、前記第１の開口部と反対方向に向かって延び、
前記坂道は、前記第１の端部から中段部に向かって形成された緩やかな上り傾斜部と、前記中段部から前記第２の端部に向かって形成された緩やかな下り傾斜部と、を有し、
前記坂道の前記中段部には、前記緩やかな上り傾斜部及び前記緩やかな下り傾斜部に接続された円弧部が設けられ、前記トレー本体の前記収納チャンバに隣り合う前記坂道の一側には、分離プレートが形成され、
前記分離プレートは、前記坂道の長手方向に立設され、前記収納チャンバのチャンバ壁間とともに取り囲んで砂収納空間が形成され、
前記トレーカバーの内側には、チャンバカバーが形成され、前記トレーカバーの底端には、前記チャンバカバーのチャンバ口が形成され、前記トレー本体の前記収納チャンバの前記チャンバ口は、前記トレーカバーの前記チャンバカバーにより閉じられることを特徴とする、
ペット用トイレトレー。
【請求項２】
前記トレー本体の前記坂道の斜面には、複数の帯状ステップが間隔をおいて形成されていることを特徴とする請求項１に記載のペット用トイレトレー。
【請求項３】
前記トレーカバーの一側には、前記チャンバカバーと連通する第２の開口部が形成され、前記トレーカバーの前記第２の開口部は、前記トレー本体の前記第１の開口部と同じ側に形成され、前記トレーカバーの前記第２の開口部の底縁は、前記第１の開口部の上縁に対応して接合され、前記第１の開口部及び前記第２の開口部により共同で取り囲んで出入口が形成され、前記トレー本体の前記収納チャンバの前記チャンバ口の周縁には、第１の係合部が設けられ、前記トレーカバーの前記チャンバカバーの前記チャンバ口の周縁には、前記トレー本体の前記第１の係合部が対応して係合位置決めされる第２の係合部が設けられていることを特徴とする請求項１に記載のペット用トイレトレー。
【考案の詳細な説明】
【技術分野】
【０００１】
本考案は、ペット用トイレトレーに関し、特に、ペットが緩やかな坂道を容易に這って通ってトレーに入り、砂がある場所まで移動して砂浴び及び排泄を行うとともに、坂道を這って通ってトレーを出るときに足裏に付着した砂をきれいに取り除くことにより、砂がトレー本体の外側に散らばり落ちることを防ぎ、ペットの世話が容易となるペット用トイレトレーに関する。
【背景技術】
【０００２】
従来、ハムスターなどの小型ペットを飼育するには、矩形状トレーが利用されることが一般的であった。トレー内には消臭剤と、細菌の繁殖を防ぐ砂とが投入され、ペットが排泄する際に、トレーの場所まで移動して尿及び大便を排泄することが一般的であった。
しかし、ペットが排泄を行った後直ちに清掃せずに一定時間経過すると、ペットの尿及び糞便の臭いが室内に広がってしまう上、ペットがトレー内の砂で砂浴びすると、砂がトレー本体の外側に飛び出てしまい、トレーの周囲環境を汚してしまう。また、ペットがトレー内で排泄したり砂浴びしたりすると、ペットの足裏などに砂が付着し、ペットが活動して通った場所に砂が残留してしまうことがあり、頻繁に清掃する必要があった。そのため仕事や生活などで忙しい現代人にとって、ペットを飼育することは面倒で手間のかかることであった。
【考案の概要】
【考案が解決しようとする課題】
【０００３】
本考案の目的は、ペットが緩やかな坂道を容易に這って通ってトレーに入り、砂がある場所まで移動して砂浴び及び排泄を行うことができるとともに、坂道を這って通ってトレーを出る際、足裏などに付着した砂をきれいに取り除くことにより、砂がトレー本体の外側に散らばり落ちることを防ぎ、ペットの世話が容易となる、ペット用トイレトレーを提供することにある。
【課題を解決するための手段】
【０００４】
上述した課題を解決するための本考案のペット用トイレトレーは、トレー本体をトレーカバーで閉じ、トレー本体及びトレーカバーの一側に共同で進入口が形成され、トレー本体内に、進入口に接続された坂道を設けるとともに、トレー本体内に形成された砂収納空間に至るまで坂道の他端を延ばして坂道の斜度を緩やかにすることにより、ハムスターなどのペットが容易に砂収納空間に移動して排泄及び砂浴びをすることができる上、トレーカバーが蓋設されているため、トレー本体の外側に砂が飛び出て排泄物の臭いがトレー本体の外側に広がることを防ぎ、ペットが排泄及び砂浴びを終えた後、坂道を這って通ってトレーを出る際、坂道と、坂道上に設けられた帯状ステップとにより、ペットの足裏に付着した砂をきれいに取り除いて自宅を清潔に保つことができるため、ペットの世話が容易となる。
【図面の簡単な説明】
【０００５】
【図１】本考案の一実施形態に係るペット用トイレトレーを示す分解斜視図である。
【図２】本考案の一実施形態に係るペット用トイレトレーを示す斜視図である。
【図３】本考案の一実施形態に係るペット用トイレトレーを示す断面図である。
【図４】本考案の一実施形態に係るペット用トイレトレーのトレー本体を示す上視図である。
【図５】本考案の一実施形態に係るペット用トイレトレーの使用状態の説明図（１）である。
【図６】本考案の一実施形態に係るペット用トイレトレーの使用状態の説明図（２）である。
【考案を実施するための形態】
【０００６】
まず、図１〜図３を参照する。図１〜図３に示すように、本考案の一実施形態に係るペット用トイレトレーは、少なくともトレー本体１及びトレーカバー２から構成されてなる。
【０００７】
トレー本体１は、収納チャンバ１１が内側に形成され、収納チャンバ１１のチャンバ口が上端に形成され、収納チャンバ１１と連通する第１の開口部１２が一側に形成される。収納チャンバ１１内には、坂道１３が設けられる。坂道１３の第１の端部は、第１の開口部１２に接続され、坂道の第２の端部は、第１の開口部１２と反対方向に向かって円弧状に延びている（図４を参照する）。
坂道１３は、第１の端部から中段部に向かって形成された緩やかな上り傾斜部１３１と、中段部から坂道１３の第２の端部に向かって形成された緩やかな下り傾斜部１３２と、を有する。坂道１３の中段部には、緩やかな上り傾斜部１３１及び緩やかな下り傾斜部１３２に接続された円弧部１３３が設けられ、坂道１３に緩やかな斜度が形成され、坂道１３の斜面には、複数の帯状ステップ１３４が間隔をおいて形成されている。
トレー本体１の収納チャンバ１１に隣り合う坂道１３の一側には、分離プレート１４が形成される。分離プレート１４は、坂道１３の長手方向に立設され、収納チャンバ１１のチャンバ壁間とともに取り囲んで砂収納空間１５が形成される。トレー本体１の収納チャンバ１１のチャンバ口の周縁には、第１の係合部１６が形成される。
【０００８】
トレーカバー２の内側には、チャンバカバー２１が形成される。トレーカバー２の底端には、チャンバカバー２１のチャンバ口が形成される。トレー本体１の収納チャンバ１１のチャンバ口は、トレーカバー２のチャンバカバー２１により閉じられる。チャンバカバー２１のチャンバ口の周縁には、トレー本体１の第１の係合部１６が対応して係合位置決めされる第２の係合部２２が設けられる。トレーカバー２のトレー本体１の第１の開口部１２と同じ側には、第２の開口部２３が形成され、チャンバカバー２１と連通し、第２の開口部２３の底縁がトレー本体１の第１の開口部１２の上縁に対応して接合され、第１の開口部１２及び第２の開口部２３により共同で取り囲んで出入口３が形成され、トレーカバー２上には、複数の通気孔２４が形成され、通気孔２４はチャンバカバー２１と連通する。
【０００９】
実際に使用するときは、まず、トレーカバー２をトレー本体１から引き起こし、砂４（図６を参照する）をトレー本体１の砂収納空間１５中に投入して敷き詰めてから、トレーカバー２でトレー本体１を閉じる。すると、トレーカバー２の底端に設けられた第２の係合部２２が、トレー本体１の上端の第１の係合部１６に係合されて位置決めされる。
ハムスターなどの小型のペット５が排泄又は砂浴びを行う場合、図５に示すように、トレーカバー２及びトレー本体１の一側に形成された出入口３から入った後、坂道１３を這って通って砂収納空間１５内に敷き詰められた砂４で排泄及び砂浴びを行うが（図６を参照する）、坂道１３の斜度が緩やかなため、ペット５の年齢及び体型の如何に関わらず、容易によじ登って砂収納空間１５まで達して排泄及び砂浴びを行うことができる。
【００１０】
ペット５がトレー本体１内に敷き詰められた砂４で砂浴びを行う際、トレー本体１がトレーカバー２により閉じられているため、ペット５が砂浴びを行っても砂４がトレー本体１の外部に飛び散らず、周囲環境をきれいに維持することができる。また、トレーカバー２が蓋設されているため、ペット５が排泄した糞便及び尿の臭いが外部に漏れることを防ぐこともできる。
ペット５が排泄又は砂浴びを終え、坂道１３を這って通って出入口３から出る際、坂道１３と、坂道１３上に設けた帯状ステップ１３４とを利用し、ペット５の足底などに付着した砂４が徐々に払落とされてきれいになるため、ペット５が出入口３から出るとき、足底などに付着している砂４の量が大幅に減り、ペット５が活動する場所に砂４が残留してしまう問題が生じることを防ぐことができる。そのため、飼主は、頻繁に清掃する必要がなくなり、ペット５を世話して飼育することが容易となる。
【００１１】
上述したことから分かるように、本考案のペット用トイレトレーは、以下（１）〜（３）の長所を有する。
（１）トレー本体上がトレーカバーで閉じられるため、ペットがトレー本体内で排泄、砂浴びなどをするときに、トレー本体の外側に砂が飛び出ることを防ぐことができる上、排泄物の臭いがトレー本体の外側に広がることを防ぎ、自宅を清潔に保つことができる。
（２）トレー本体内に設けられた坂道により、ペットが排泄及び砂浴びを終え、坂道を這って通ってトレーから出るときに坂道と、坂道上に設けられた帯状ステップとにより、ペットの足裏などに付着した砂をきれいに取り除くことができるため、自宅が清潔に保たれ、ペットの世話が容易である。
（３）トレー本体に設けられた坂道の斜度が緩やかなため、ペットの年齢及び体型の大きさに関わらず、容易によじ登って砂収納空間まで達して排泄及び砂浴びを行うことができる。そのため、ペットは安全かつ容易に排泄及び砂浴びを行うことができる。
【符号の説明】
【００１２】
１  トレー本体
２  トレーカバー
３  出入口
４  砂
５  ペット
１１  収納チャンバ
１２  第１の開口部
１３  坂道
１４  分離プレート
１５  砂収納空間
１６  第１の係合部
２１  チャンバカバー
２２  第２の係合部
２３  第２の開口部
２４  通気孔
１３１  緩やかな上り傾斜部
１３２  緩やかな下り傾斜部
１３３  円弧部
１３４  帯状ステップ
【図１】
0003230613.tif 000003
【図２】
0003230613.tif 000004
【図３】
0003230613.tif 000005
【図４】
0003230613.tif 000006
【図５】
0003230613.tif 000007
【図６】
0003230613.tif 000008